(57)【要約】【課題】複数の表示手段を備え、発信者に関する画像データを表示する表示手段を選択することができる。【解決手段】携帯電話装置１は、第１筐体２と第２筐体３とが折り畳み可能に構成される。通話信号着信時に基地局から取得される発信者識別情報とメモリ１５に記憶されている発信者識別情報とが一致すると、第１筐体２と第２筐体３とが折り畳まれているとき、第１表示部１０に発信者識別情報に対応する画像データが表示され、第１筐体２と第２筐体３とが折り畳まれていないとき、第１および第２表示部１０，１１に前記画像データが表示される。その後操作部１２を操作することによって、第１および第２表示部１０，１１それぞれに対する画像の表示および非表示を選択することができる。このことによって、発信者に関する画像データを表示する表示手段を選択することができる。【選択図】　　　図１
2004056530.tif 000002
【特許請求の範囲】
【請求項１】
第１および第２筐体を備え、第１筐体と第２筐体とが折り畳み可能に構成される携帯電話装置であって、
予め取得される画像データと発信者識別情報とを対応付けて記憶する記憶手段と、
第１筐体と第２筐体とが折り畳まれている状態であることを検出する開閉検出手段と、
前記開閉検出手段からの検出出力に基づいて、第１筐体と第２筐体とが折り畳まれている状態であるか否かを判断する開閉判断手段と、
前記第１筐体と第２筐体とが折り畳まれるとき、外方に臨んで第１筐体に設けられる第１表示手段および内方に臨んで第１筐体に設けられる第２表示手段と、
通話信号着信時に基地局から取得される発信者識別情報と記憶手段に記憶されている発信者識別情報とが一致するかを判断し、発信者識別情報が一致するとき、前記開閉判断手段の判断結果に応答し、前記第１筐体と第２筐体とが折り畳まれているとき、発信者識別情報に対応付けて記憶手段に記憶されている画像データを前記第１表示手段に表示させ、前記第１筐体と第２筐体とが折り畳まれていないとき、前記画像データを前記第１および第２表示手段に表示させる表示制御手段とを含むことを特徴とする携帯電話装置。
【請求項２】
前記表示制御手段の制御動作を指示する信号を入力する操作手段をさらに備え、
前記表示制御手段は、
通話信号着信時に前記操作手段によって入力される信号に応答し、第１および第２表示手段に対する画像データの表示、第１もしくは第２表示手段のいずれか一方に対する画像データの表示、または第１および第２表示手段に対する画像データの非表示のうちから選択されるいずれか１つを実行することを特徴とする請求項１記載の携帯電話装置。
【請求項３】
前記記憶手段は、
１つの発信者識別情報に対して複数の画像データを予め順位を付して記憶し、
前記表示制御手段は、
前記順位に従って画像データを第１表示手段、次いで第２表示手段に表示させることを特徴とする請求項１または２記載の携帯電話装置。
【請求項４】
入射光を電気信号に変換して画像データとして出力する撮像手段をさらに備えることを特徴とする請求項１〜３のいずれかに記載の携帯電話装置。
【発明の詳細な説明】
【０００１】
【発明の属する技術分野】
本発明は、携帯電話装置に関し、特に折り畳み可能に構成される携帯電話装置に関する。
【０００２】
【従来の技術】
近年、第１筐体および第２筐体とが、ヒンジなどの揺動機構によって係接されて揺動変位するように構成された折り畳み可能なカメラ付き携帯電話装置が市販されている。折り畳み可能なカメラ付き携帯電話装置には、ヒンジ部を中心として第１筐体と第２筐体とのなす角が零度である折り畳まれている状態で、外方に臨んで第１または第２筐体に第１表示手段を備え、内方に臨んで第１筐体または第２筐体に第２表示手段を備える物がある。
【０００３】
このような第１および第２表示手段を備える携帯電話装置においては、カメラによって撮像された画像データをたとえば電話番号などの発信者識別情報と対応付けて予めメモリに記憶することができる。携帯電話装置は、通話信号着信時に基地局から発信者識別情報を取得し、取得した発信者識別情報と記憶されている発信者識別情報が一致するとき、一致する発信者識別情報に対応付けて記憶されている画像データを第１または第２表示手段に表示する。画像データを第１または第２表示手段のいずれに表示するかの選択は以下のように行われる。携帯電話装置が折り畳まれているとき、第１表示手段にのみ画像データが表示され、携帯電話装置が折り畳まれていないとき、第２表示手段にのみ画像データが表示される。携帯電話装置の使用者は、第１および第２表示手段に表示される画像データによって発信者を認識することができる。
【０００４】
【発明が解決しようとする課題】
前述した先行技術には以下の問題がある。携帯電話装置が折り畳まれていないときは第２表示手段にのみ画像が表示されるので、第２表示手段を視認することができるたとえば携帯電話装置の使用者は、画像データによって発信者を認識することができるけれども、第２表示手段を視認することができない位置にいるたとえば前記使用者以外の者は画像データを見ることができず発信者の認識が困難であるという問題がある。
【０００５】
本発明の目的は、複数の表示手段を備え、発信者に関する画像データを表示する表示手段を選択することができる携帯電話装置を提供することである。
【０００６】
【課題を解決するための手段】
本発明は、第１および第２筐体を備え、第１筐体と第２筐体とが折り畳み可能に構成される携帯電話装置であって、
予め取得される画像データと発信者識別情報とを対応付けて記憶する記憶手段と、
第１筐体と第２筐体とが折り畳まれている状態であることを検出する開閉検出手段と、
前記開閉検出手段からの検出出力に基づいて、第１筐体と第２筐体とが折り畳まれている状態であるか否かを判断する開閉判断手段と、
前記第１筐体と第２筐体とが折り畳まれるとき、外方に臨んで第１筐体に設けられる第１表示手段および内方に臨んで第１筐体に設けられる第２表示手段と、
通話信号着信時に基地局から取得される発信者識別情報と記憶手段に記憶されている発信者識別情報とが一致するかを判断し、発信者識別情報が一致するとき、前記開閉判断手段の判断結果に応答し、前記第１筐体と第２筐体とが折り畳まれているとき、発信者識別情報に対応付けて記憶手段に記憶されている画像データを前記第１表示手段に表示させ、前記第１筐体と第２筐体とが折り畳まれていないとき、前記画像データを前記第１および第２表示手段に表示させる表示制御手段とを含むことを特徴とする携帯電話装置である。
【０００７】
本発明に従えば、第１筐体と第２筐体とが折り畳まれている状態であることが開閉検出手段によって検出され、検出出力に基づいて第１筐体と第２筐体とが折り畳まれている状態であるか否かが開閉判断手段によって判断される。通話信号着信時に基地局から取得される発信者識別情報と記憶手段に記憶されている発信者識別情報とが一致することが表示制御手段によって判断されると、開閉判断手段の判断結果に応答し第１および第２表示手段が以下のように制御される。第１筐体と第２筐体とが折り畳まれているとき、発信者識別情報に対応付けて記憶手段に記憶されている画像データが第１表示手段に表示される。第１筐体と第２筐体とが折り畳まれていないとき、前記画像データが第１および第２表示手段に表示される。このことによって、第１筐体と第２筐体とが折り畳まれていない状態において、第２表示手段を視認することができない位置にいるたとえば使用者以外の者も第１表示手段に表示される画像データによって発信者を容易に認識することができる。
【０００８】
また本発明は、前記表示制御手段の制御動作を指示する信号を入力する操作手段をさらに備え、
前記表示制御手段は、
通話信号着信時に前記操作手段によって入力される信号に応答し、第１および第２表示手段に対する画像データの表示、第１もしくは第２表示手段のいずれか一方に対する画像データの表示、または第１および第２表示手段に対する画像データの非表示のうちから選択されるいずれか１つを実行することを特徴とする。
【０００９】
本発明に従えば、通話信号着信時に使用者が操作手段を操作すると、入力された信号に応答して、第１および第２表示手段に対する画像データの表示、第１または第２表示手段のいずれか一方に対する画像データの表示、または第１および第２表示手段に対する画像データの非表示のうちからいずれか１つが表示制御手段によって選択され実行される。このことによって、使用者は、周囲に発信者を認識させる表示と認識させない表示とを、状況に応じて選択することが可能である。また、不必要に画像データを表示することが防止できるので、消費電力を低減させることが可能になる。
【００１０】
また本発明は、前記記憶手段は、
１つの発信者識別情報に対して複数の画像データを予め順位を付して記憶し、
前記表示制御手段は、
前記順位に従って画像データを第１表示手段、次いで第２表示手段に表示させることを特徴とする。
【００１１】
本発明に従えば、記憶手段に記憶される画像データが予め定められる順位に従って第１表示手段、次いで第２表示手段に表示される。このことによって、第１および第２表示手段にそれぞれ異なる所望の画像を表示させることができる。
【００１２】
また本発明は、入射光を電気信号に変換して画像データとして出力する撮像手段をさらに備えることを特徴とする。
【００１３】
本発明に従えば、携帯電話装置には撮像手段が備わるので、使用者が携帯電話装置を用いて発信者に関する画像データを取得し、記憶手段に記憶させることができる。このことによって、他の装置を用いることなく発信者に関する画像を取得することが可能になる。
【００１４】
【発明の実施の形態】
図１は本発明の実施の一形態である携帯電話装置１の構成を簡略化して示すブロック図であり、図２は図１に示す携帯電話装置１の外観を示す斜視図である。携帯電話装置１は、携帯可能で大略的に板状の筐体２，３を有する。第１筐体２と第２筐体３とは、揺動機構であるヒンジ部４によって係接されて揺動変位可能に構成され、第１筐体２の表面と第２筐体３の表面とを合わせた状態で折り畳むことができる。以後、第１筐体２と第２筐体３とを折り畳まれている状態にすることを第１筐体２と第２筐体３とを閉じるといい、第１筐体２と第２筐体３とを折り畳まれていない状態にすることを第１筐体２と第２筐体３とを開くということがある。
【００１５】
携帯電話装置１は、アンテナ５、無線部６、通信制御部７、撮像部８、画像処理部９、第１表示部１０、第２表示部１１、操作部１２、開閉検出部１３、制御部１４、メモリ１５を備え、無線電波を介して基地局と無線通信を行い、音声データだけでなく、文字データおよび画像データなどを送信および受信することができる。
【００１６】
第１筐体２と第２筐体３とが折り畳まれるとき、第１筐体２には、外方に臨んで第１表示部１０および撮像部８が設けられ、内方に臨んで第２表示部１１が設けられる。第２筐体３には、内方に臨んで操作部１２が設けられる。通常の使用状態では、第１および第２表示部１０，１１を備える第１筐体２が上方となる。
【００１７】
アンテナ５は、第１筐体２から外部に突出し軸線方向に伸縮自在に構成される部材であり、無線電波を介して基地局と無線通信を行うときに、音声データ、文字データおよび画像データなどを送受信する。無線部６は、受信時に基地局からアンテナ５を介して受信したデータを復調する。通話信号着信時には、発信者識別情報が基地局から取得される。送信時は通信制御部７から送られてくる文字データおよび画像データなどを変調して増幅し、アンテナ５を介して基地局に送信する。通信制御部７は、無線部６が復調した文字データおよび画像データなどの受信データを所定の通信プロトコルに基づいて制御部１４に送る。無線部６、通信制御部７を介して受信した発信者からの受信データはメモリ１５に記憶される。
【００１８】
撮像部８は、撮像レンズとたとえば電荷結合素子（Ｃｈａｒｇｅ　Ｃｏｕｐｌｅｄ　Ｄｅｖｉｃｅ；略称：ＣＣＤ）イメージセンサなどの撮像素子と、ＲＧＢ（Ｒｅｄ　Ｇｒｅｅｎ　Ｂｌｕｅ）の３色カラーフィルタとを備える。撮像部８は、被写体によって反射されて撮像レンズに入射した光を、カラーフィルタを通してＲＧＢの３色光にし、ＲＧＢの３色光をそれぞれ撮像素子によって電気信号に変換する。
【００１９】
画像処理部９は、増幅部、Ａ／Ｄ（アナログ／デジタル）変換部、信号処理部からなる。増幅部は、撮像部８から送られてくるＲＧＢに対応した電気信号を増幅し、Ａ／Ｄ変換部に送る。Ａ／Ｄ変換部は、増幅部で増幅されたＲＧＢに対応した電気信号（アナログ）をデジタル信号に変換して画像データを出力し、信号処理部に送る。信号処理部は、Ａ／Ｄ変換部から送られてくる画像データに対して、画素の補間処理などの信号処理を行う。また信号処理部は、制御部１４から送られてくる制御信号に基づいて、信号処理を施した画像データをメモリ１５に出力する。
【００２０】
以上のように撮像部８および画像処理部９は、入射光を電気信号に変換して画像データとして出力する撮像手段である。携帯電話装置１に撮像手段が備わることによって、他の装置を用いることなく発信者に関する画像を取得することが可能になる。
【００２１】
第１および第２表示部１０，１１は、たとえば液晶表示装置（Ｌｉｑｕｉｄ　ＣｒｙｓｔａｌＤｉｓｐｌａｙ；略称：ＬＣＤ）などの表示装置によって実現され、画像データ、文字データなどの各種データを表示する。第１および第２表示部１０，１１は、メモリ１５から出力される画像データを表示する第１および第２表示手段である。
【００２２】
操作部１２は、制御部１４に備わる表示制御部２５およびその他各部位の制御動作を指示する信号を入力する操作手段である。操作部１２は、たとえば数字および文字を入力するための複数個のキー、電源のＯＮ状態およびＯＦＦ状態を切換える電源キーなどから構成される。また操作部１２は、第１筐体２の側面部に設けられ、たとえば電話帳ファイル内を検索する信号、通話を開始する信号などの入力、またシャッタボタンとして撮像部８によって撮像された画像データのメモリ１５への記憶を制御する信号の入力などを行うサイドキー１６を含む。
【００２３】
開閉検出部１３は、第１筐体２と第２筐体３とが折り畳まれている状態であることを検出する開閉検出手段である。図２（ａ）に示すように、第１筐体２と第２筐体３とが折り畳まれるとき、内方に臨んで、第１筐体２のヒンジ部４近傍には突起１７が形成されており第２筐体３のヒンジ部４近傍の前記突起１７に対応する位置には孔１８が形成されている。孔１８の内部には、スイッチ１９が設けられる。
【００２４】
図３は、スイッチ１９の構造を示す概略図である。図３（ａ）は、図３（ｂ）に示す切断面線Ｉ−Ｉから見た断面図である。図３（ａ）に示すように、スイッチ１９は、導電部２０、接点部２１および支持部２２とからなり、導電部２０にはたとえば導電ゴムなどの導電性材料が用いられ、弾性材からなる支持部２２によって接点部２１と所定の間隔を有するように支持される。接点部２１には、図３（ｂ）に示すように、櫛型電極２１ａ，２１ｂが用いられている。櫛型電極２１ａ，２１ｂは、第２筐体３内部の基板２３上であって孔１８に対応する位置に形成されており、制御部１４にそれぞれ接続される。第１筐体２と第２筐体３とが折り畳まれるとき、第１筐体２の突起１７が第２筐体３の孔１８に入り、突起１７が導電部２０を接点部２１に押付ける。このとき、図３（ｂ）の二点鎖線で示す部分に導電部２０が接し、櫛形電極２１ａ，２１ｂは、導電部２０を介して電気的に導通することで櫛型電極２１ａ，２１ｂ間に電流が流れる。電流は、制御部１４によって検出される。第１筐体２と第２筐体３とが折り畳まれていないとき、突起１７が孔１８内にないため、導電部２０は支持部２２の弾性力によって接点部２１から離れる。このとき櫛型電極２１ａ，２１ｂには電流が流れない。このように開閉検出部１３は、突起１７、孔１８、スイッチ１９および制御部１４からなり、開閉検出部１３は、櫛型電極２１ａ，２１ｂに流れる電流を検出することによって第１筐体２と第２筐体３とが折り畳まれている状態であることを検出する。なお、スイッチ１９および開閉検出部１３の構成は、前述した構成に限らず、第１筐体２と第２筐体３とが折り畳まれている状態を検出できる構成であればよい。
【００２５】
制御部１４は、たとえば中央処理装置（Ｃｅｎｔｒａｌ　Ｐｒｏｃｅｓｓｉｎｇ　Ｕｎｉｔ；略称：ＣＰＵ）などによって実現される制御手段であり、前述したように開閉検出部１３として電流を検出する以外に、携帯電話装置１を構成する各部位の動作を制御する。制御部１４は、開閉判断部２４と表示制御部２５とを含む。
【００２６】
開閉判断部２４は、開閉検出部１３からの検出出力に基づいて第１筐体２と第２筐体３とが折り畳まれている状態であるか否かを判断する開閉判断手段である。開閉判断部２４は、櫛型電極２１ａ，２１ｂにおける電流の流れが開閉検出部１３によって検出されるときは、第１筐体２と第２筐体３とが折り畳まれている状態であると判断し、櫛型電極２１ａ，２１ｂにおける電流の流れが開閉検出部１３によって検出されないときは、第１筐体２と第２筐体３とが折り畳まれていないと判断する。
【００２７】
表示制御部２５は、表示制御手段であり、第１および第２表示部１０，１１から画像データを表示させる表示部を選択し、表示させる画像データに従って使用する表示部の画素電極に対して駆動電圧を印加する。アンテナ５を介して無線部６によって通話信号が着信されると、表示制御部２５は、通話信号着信時に基地局から取得される発信者識別情報とメモリ１５に記憶されている発信者識別情報とが一致するか否かを判断する。発信者識別情報が一致すると、表示制御部２５は開閉判断部２４の判断結果に応答して第１表示部１０および第２表示部１１を以下のように制御する。第１筐体２と第２筐体３とが折り畳まれているとき、表示制御部２５は、発信者識別情報に対応付けてメモリ１５に記憶されている画像データを読出し第１表示部１０に表示する。第１筐体２と第２筐体３とが折り畳まれていないとき、表示制御部２５は、前記画像データを第１および第２表示部１０，１１に表示する。
【００２８】
また表示制御部２５は、通話信号着信時に操作部１２によって入力される信号に応答し、第１および第２表示部１０，１１に対する画像データの表示、第１または第２表示部１０，１１に対する画像データの表示または第１および第２表示部１０，１１に対する画像データの非表示のうちから選択されるいずれか１つを実行する。前述した表示状態を選択する信号を入力するための操作として、操作部１２の１つのキーの押下または組合わせた複数個のキーの押下を前記操作としてそれぞれ設定してもよいし、前述した各表示状態を選択する信号を入力する特定のキーをそれぞれ設けてもよい。
【００２９】
メモリ１５は、たとえばリードオンリーメモリ（Ｒｅａｄ　Ｏｎｌｙ　Ｍｅｍｏｒｙ；略称：ＲＯＭ）などの不揮発性メモリおよびランダムアクセスメモリ（Ｒａｎｄｏｍ　Ａｃｃｅｓｓ
Ｍｅｍｏｒｙ；略称：ＲＡＭ）などの揮発性メモリを含んで実現される。メモリ１５は、発信者識別情報、撮像部８によって撮像された画像データおよびアンテナ５を介して受信した各種受信データを記憶する記憶手段であり、さらに制御部１４が携帯電話装置１を統括的に制御するためのプログラムを記憶するとともに、制御部１４が携帯電話装置１を制御するときの制御命令を一時的に記憶する。
【００３０】
メモリ１５は、電話番号、名前などの発信者識別情報を記憶する電話帳ファイルと複数の画像データを記憶する画像データファイルとを備える。発信者識別情報は、発信者毎にレコードの単位で記憶され、各レコードは、たとえば登録番号、電話番号、画像データ番号およびその他の情報メモなどの各データフィールド（以後、登録番号フィールド、電話番号フィールド、画像データ番号フィールド、その他の情報フィールドと呼ぶ）から構成されている。電話帳ファイルの画像データ番号フィールドには、通話信号着信時に第１表示部１０および／または第２表示部１１に表示される画像データを特定する画像データ番号が記憶される。画像データ番号フィールドに画像データ番号が記憶されている場合は、画像データが登録されていることを意味し、画像データ番号フィールドに画像データ番号が記憶されていない場合は、画像データが登録されていないことを意味する。
【００３１】
画像データファイルは、画像データライブラリであり、複数の画像データが画像データ番号毎にレコードの単位で記憶される。各レコードは、画像データ番号と画像データの各データフィールド（以後、画像データ番号フィールドと画像データフィールドと呼ぶ）とから構成されている。撮像部８によって撮像され画像処理部９によって出力された複数の画像データは、画像データフィールド内で予め順位が付されて記憶されている。順位は、画像データを記憶する際に操作部１２を操作することによって設定される。このようにメモリ１５には、予め順位が定められた複数の画像データと１つの発信者識別情報とが対応付けて記憶されている。
【００３２】
【表１】
2004056530.tif 000003
【００３３】
アンテナ５を介して無線部６によって通話信号が着信されると、たとえば電話番号などの発信者識別情報が基地局から取得される。電話帳ファイルの電話番号フィールドに基地局から取得される発信者の電話番号と一致する電話番号が存在すると、第１筐体２と第２筐体３とが折り畳まれている状態であることが開閉検出部１３によって検出され、開閉判断部２４によって第１筐体２と第２筐体３とが折り畳まれている状態であるか否かが判断される。
【００３４】
たとえば電話番号フィールド「Ｔ００２」に登録されている電話番号と基地局から取得された電話番号とが一致するとする。画像データ番号フィールド「Ｆ００２」で記憶されている画像データ番号が２である場合、第１筐体２と第２筐体３とが折り畳まれているとき、画像データファイルにおいて画像データ番号フィールドに画像データ番号２が記憶されているレコードの画像データフィールドに記憶されている複数の画像データのうち、予め定められる順位が最も高い画像データｄが第１表示部１０に表示される。第１筐体２と第２筐体３とが折り畳まれていないとき、予め定められる順位に従って画像データｄが第１表示部１０に表示され、画像データｅが第２表示部１１に表示される。なお、画像データの順位の設定は、操作部１２を操作することによって任意に変更することが可能である。このことによって、第１および第２表示部１０，１１にそれぞれ異なる所望の画像を表示させることができる。
【００３５】
以下に携帯電話装置１において通話信号の着信時から使用者が通話を開始するまでの間において画像データを表示する表示部を選択するときの処理手順を説明する。図４は、画像データを表示する操作手順を示すフローチャートである。ステップａ１では、アンテナ５を介して無線部６が通話信号を着信し、基地局からたとえば電話番号などの発信者識別情報を取得する。ステップａ２では、表示制御部２５が、基地局から取得された電話番号と電話帳ファイルの各レコードの電話番号フィールドに登録された電話番号とが一致するか否かを判断する。判断結果が否定であるとき、ステップａ３に進む。ステップａ３では、使用者が、第１筐体２と第２筐体３とを開く。ステップａ４では、使用者が操作部を操作し、ステップ１６に進む。ステップ１６では、使用者が通話を開始する。なお、第１筐体２と第２筐体３とが折り畳まれていない場合、ステップａ３をスキップしてもよい。
【００３６】
先のステップａ２における判断結果が肯定であるとき、ステップａ５に進む。ステップａ５では、開閉検出部１３が、第１筐体２と第２筐体３とが折り畳まれている状態であることを検出し、開閉判断部２４が、開閉検出部１３の検出出力に基づいて第１筐体２と第２筐体３とが折り畳まれている状態であるか否かを判断する。判断結果が肯定であるとき、ステップａ６に進む。ステップａ６では、表示制御部２５は、メモリ１５に備わる電話帳ファイルにおいて、一致する電話番号が記憶されているレコードの画像データ番号フィールドに登録されている複数の画像データのうち予め定められる順位が最も高い画像データを第１表示部１０に表示する。ステップａ７では、使用者が第１筐体２と第２筐体３とを開く。その後、ステップａ８に進む。
【００３７】
先のステップａ５における判断結果が否定であるとき、ステップａ８に進む。ステップａ８では、表示制御部２５が、画像データ番号フィールドに登録されている複数の画像データのうち予め定められる順位に従って第１表示部１０、次いで第２表示部１１にそれぞれ表示する。ステップａ９では、使用者が操作部１２を操作する。ステップａ１０では、表示制御部２５が、操作部１２によって入力された信号に応答して、第１表示部１０に対する画像データの表示を継続するか否かを判断する。判断結果が肯定であるとき、ステップａ１１に進む。ステップａ１１では、表示制御部２５が、第１表示部１０に対する画像データの表示を継続する。その後ステップａ１３に進む。
【００３８】
先のステップａ１０における判断結果が否定であるとき、ステップａ１２に進む。ステップａ１２では、表示制御部２５が、第１表示部１０に対する画像データの非表示を実行する。その後ステップａ１３に進む。ステップａ１３では、表示制御部２５が、操作部１２によって入力された信号に応答して、第２表示部１１に対する画像データの表示を継続するか否かを判断する。判断結果が肯定であるとき、ステップａ１４に進む。ステップａ１４では、表示制御部２５が、第２表示部１１に対する画像データの表示を継続する。その後ステップａ１６に進む。先のステップａ１３における判断結果が否定であるとき、ステップａ１５に進む。ステップａ１５では、第２表示部１１に対する画像データの非表示を実行する。ステップａ１６では、使用者が通話を開始する。以上によって、通話信号の着信から使用者が通話を開始するまでに第１および第２表示部１０，１１の表示を制御する一連の動作が完了する。なお、画像データが登録されていないときは、ステップａ６以降において名前および電話番号などの発信者識別情報を表示する。
【００３９】
以上のように、第１筐体２と第２筐体３とが折り畳まれていない状態において、第２表示部１１を視認することができない位置にいるたとえば使用者以外の者も第１表示部１０に表示される画像データによって発信者を容易に認識することができる。また、使用者は、周囲に発信者を認識させる表示と認識させない表示とを状況に応じて選択することが可能である。また、不必要に画像データを表示することが防止できるので、消費電力を低減させることができる。
【００４０】
本実施の形態によれば、撮像手段は携帯電話装置１に備わるけれども、これに限定されることなく、デジタルカメラなど他の装置を用いることによって得られる画像データをメモリ１５に記憶する構成であってもよい。また、画像データとして無線通信によって受信した画像データを発信者識別情報に対応付けて記憶してもよい。
【００４１】
また、画像データは１つの発信者識別情報に対応付けて複数記憶されるけれども、これに限定されることなく、１つの画像データを１つの発信者識別情報に対応付けて記憶してもよい。
【００４２】
【発明の効果】
以上のように本発明によれば、基地局から取得された発信者識別情報と記憶手段に記憶されている発信者識別情報とが一致するとき、第１筐体と第２筐体とが折り畳まれている状態であるか否かに基づいて第１表示手段のみ、または第１および第２表示手段に発信者識別情報に対応する画像データを表示することができる。このことによって、第１筐体と第２筐体とが折り畳まれていない状態において、第２表示手段を視認することができない位置にいるたとえば使用者以外の者が第１表示手段に表示される画像データによって発信者を容易に認識することができる。
【００４３】
また本発明によれば、使用者が操作手段を操作することによって、第１および第２表示手段のうち画像データを表示する表示手段を任意に選択することができる。
【００４４】
また本発明によれば、複数の画像データは順位が付されて発信者識別情報と対応付けて記憶され、順位に従って第１表示手段、次いで第２表示手段に表示されるので、第１および第２表示手段に異なる画像をそれぞれ表示させることができる。
【００４５】
また本発明によれば、携帯電話装置に備わる撮像手段によって使用者が他の装置を使用することなく発信者に関する画像データを取得することができる。
【図面の簡単な説明】
【図１】本発明の実施の一形態である携帯電話装置１の構成を簡略化して示すブロック図である。
【図２】図１に示す携帯電話装置１の外観を示す斜視図である。
【図３】スイッチ１９の構造を示す概略図である。
【図４】画像データを表示する操作手順を示すフローチャートである。
【符号の説明】
１　携帯電話装置
２　第１筐体
３　第２筐体
４　ヒンジ部
５　アンテナ
６　無線部
７　通信制御部
８　撮像部
９　画像処理部
１０　第１表示部
１１　第２表示部
１２　操作部
１３　開閉検出部
１４　制御部
１５　メモリ
２４　開閉判断部
２５　表示制御部
【図１】
2004056530.tif 000004
【図２】
2004056530.tif 000005
【図３】
2004056530.tif 000006
【図４】
2004056530.tif 000007